(57)【要約】  【課題】  複数の細長い部屋に好ましい空気流れを形成することができ、かつ、簡易な設備でそれを実現できる空調システムを提供する。  【解決手段】  複数の細長い部屋２と、それら部屋２の端部同士を直列に連結してループ状の空調経路を形成する複数の空調機３とからなり、前記複数の部屋２のうち少なくとも１組の部屋の端部同士が近接して配置されている空調システム１。【選択図】  図１
2007093030.tif 000002
【特許請求の範囲】
【請求項１】
複数の細長い部屋と、
それら部屋の端部同士を直列状に連結してループ状の空調経路を形成する複数の空調機とからなり、
前記複数の部屋のうち少なくとも１組の部屋の端部同士が近接して配置されている空調システム。
【請求項２】
前記複数の部屋が上下あるいは左右に併設されている２個の部屋である請求項１記載の空調システム。
【請求項３】
前記複数の部屋が建屋の２階以上に設けられている請求項１記載の空調システム。
【発明の詳細な説明】
【技術分野】
【０００１】
本発明は、部屋を空調するための空調システムに関する。さらに詳しくは、複数の細長い部屋を空調するための空調システムに関する。
【背景技術】
【０００２】
部屋を空調する場合には、空気の流れにくい箇所（デッドスポット）を作らないように、部屋の対角線の方向に空気流れを設定する。
例えば、地下の駐車場では、その部屋の対角のコーナ部分に、それぞれ空調エアの供給口および排気口が形成される。しかし、駐車場のような広いスペースでは、供給口と排気口とが遠く離れるため、予定通りの空気流れを形成するのは難しい。そのため、スペースの中間付近にデリベントと呼ばれる送風機を配置し、空気流れを対角線方向に誘導している。
【０００３】
奥行きの長い部屋を空調する従来技術として、図５ａに示す空調設備１００がある。図５ａの２階建ての建屋は、１階の部屋１０１と、２階の部屋１０２とからなる。前記１階の部屋１０１および２階の部屋１０２の右方の側壁の外側には、空調機１０４、１０４が配置されている。その空調機１０４、１０４には、それぞれ空気の吹き出し口側に供給ダクト１０５、１０５が接続されている。その供給ダクト１０５、１０５はそれぞれの階の天井裏に延びている。その供給ダクト１０５には、複数の吹き出し口１０７が形成されており、部屋内に空調エアを供給している。また、前記１階の部屋１０１および２階の部屋１０２の右方の側壁には、空調エアを排気する排気口１０１ｂ、排気口１０２ｂが形成されている。その排気口１０１ｂ、１０２ｂはそれぞれ空調機１０４、１０４の吸い込み口側に接続されている。
【０００４】
図５ｂに示す空調設備１１０は、前記デリベントなどを用いなくても細長い部屋をそのまま空調エアを導く風路としている。このものは、前記空調設備１００と共通する部分が多いので、同じ部分には同じ符号を付して、その説明を省略する。図５ｂに示す空調設備１１０が配置される建屋の１階の部屋１０１および２階の部屋１０２の右方の側壁にはそれぞれ空調エアを供給する供給口１０１ａ、供給口１０２ａが形成され、左方の側壁にはそれぞれ空調エアを排気する排気口１０１ｂ、排気口１０２ｂが形成されている。
【０００５】
前記空調機１０４、１０４には、それぞれ空気の吹き出し口側に供給ダクト１０５、１０５が接続されている。一方、１階の部屋１０１の排気口１０１ｂと２階の部屋１０２の排気口１０２ｂには、還気ダクト１０６、１０６（リターンダクト）が接続されている。その還気ダクト１０６、１０６は、１階の部屋１０１および２階の部屋１０２の天井裏または床下などを通って、建屋の反対側まで延びている。このように各部屋１０１、１０２から排気される空気を空調機１０４、１０４に還気させるのは、冷房（暖房）のエネルギを節約するためである。
【０００６】
図６には、さらに他の空調設備の従来技術を示す。このものは前記空調設備１１０と共通する部分が多いので、その部分には同じ符号を付して、その説明を省略する。図６の空調設備１２０が配置される建屋は３階建てである。その建屋の３階の部屋１０３の右方の側壁には空調エアを供給する供給口１０３ａが形成され、左方の側壁には空調エアを排気する排気口１０３ｂが形成されている。
【０００７】
前記１階の部屋１０１の右方の側壁の外側には、空調機１０４が配置されている。その空調機１０４に接続された供給ダクト１０５は途中で２本に分岐して、それぞれ部屋１０２の供給口１０２ａと、部屋１０３の供給口１０３ａに接続される。一方、２階の部屋１０２の排気口１０２ｂと３階の部屋１０３の排気口１０３ｂには、還気ダクト１０６（リターンダクト）が接続され、途中で１本に合流して、前記空調機１０４の吸い込み口側に接続されている。その還気ダクト１０６は、１階の部屋１０１の天井裏または床下などを通って、建屋の反対側まで延びている。
【０００８】
また、特許文献１〜３には、本願に関連する技術としてダクトを用いずに大きな空間を空調する技術が記載されている。特許文献１には、天井の高さが３ｍ以上ある空間の天井付近に空調エアを平行に噴射して、その噴射により形成される空気流れの反動流を空間の下層に流すことにより空調エアを循環させる技術が開示されている。また、特許文献２には、体育館やイベントホール等に用いる空調装置である。このものは、ベンチュリーノズルを用いて空調エアを吹き出させ、そのベンリュリー効果により周囲の空気を誘引して吹き出している。そして、前記デリベントのように空気流れを所定の方向に導いている。特許文献３には、複数の送風機を吹き出し方向を揃えるように配置して空調エアの流れを循環させるものが開示されている。
【０００９】
【特許文献１】特許第３６０１６１１号
【特許文献２】特開２０００−２８１６７
【特許文献３】特許第３０５３７２０号
【発明の開示】
【発明が解決しようとする課題】
【００１０】
図５ａの空調設備１００ように、１つの部屋の天井裏から複数の吹き出し口を延ばした場合は、複数の供給口から排気口までのスムーズな空気流れを形成するのが困難である。また、供給ダクトを細長い部屋に沿うように天井裏に布設しなければならない。
【００１１】
一般的に、部屋内を空調する際には、空気の流れにくい箇所が形成されないように、例えば、部屋の対角線の方向に空気流れを形成する。細長い部屋の場合では、部屋の一端から他端に向かう空気流れを形成すれば簡単である。しかし、部屋が細長いと、空調エアの供給口と排気口とは互いに離れて配置されることになる。図５ｂの空調設備１１０ように空調機を供給口に近い側に配置すると、排気口から空調機までの排気をリターンさせるための還気ダクトの経路が非常に長くなる。還気ダクトが長くなると、圧力損失によりファンの吸引圧が部屋の排気口付近で小さくなり、空調機に負担がかかる。また、前記還気ダクトは部屋の一端から他端まで横引きされるため、天井、床下あるいは屋外などを通すための工事が必要である。そのような排気ダクトを横引きする工事は、空調領域外を通すため、他の工事の支障になり、それにかかる工事費もかさむ。
【００１２】
図６に示す空調設備１２０では、２階の部屋１０２および３階の部屋１０３の両方を空調するために１つの大型の空調機１０４を用いている。そのため、施工される基礎も大掛かりなものとなり、設置する場所も１階にならざる得ない。また、空調機１０４のサイズが大きくなると、専用のスペースを確保する必要がある。
【００１３】
特許文献１〜３では、ベンチュリー式のノズルあるいは送風機などを用いて、勢いよく空調エアを吹き出すことにより、空気流れを形成している。しかし、そのような空気流れを実現するために、特別な設備を導入しなければならない。
【００１４】
そこで、本発明では、複数の細長い部屋に好ましい空気流れを形成することができ、かつ、簡易な設備でそれを実現できる空調システムを提供することを課題とする。
【課題を解決するための手段】
【００１５】
本発明の空調システム（請求項１）は、細長い部屋の複数個と、それら部屋の端部同士を直列状に連結してループ状の空調経路を形成する空調機の複数個とからなり、前記複数の部屋のうち少なくとも１組の部屋の端部同士が近接して配置されていることを特徴としている。
【００１６】
このような空調システムは、前記複数の部屋が上下あるいは左右に併設されている２個の部屋であるものが好ましい（請求項２）。また、前記複数の部屋が建屋の２階以上に設けられているものが好ましい（請求項３）。
【発明の効果】
【００１７】
本発明の空調システム（請求項１）は、複数の細長い部屋の端部同士を空調機により直列状に連結し、ループ状の空調経路を形成し、かつ、前記複数の部屋のうち少なくとも１組の部屋の端部同士が近接しているので、一方の部屋の端部から排気される排気エアはすぐさま空調機に取り込まれる。そして、今度は近接している他方の部屋の端部に供給される。そのため、部屋から空調機までのダクトを短縮することができ、場合により省略することができる。そして、ダクトを短縮あるいは省略することにより、圧力損失を少なくすることができ、ダクトを支えるためのサポート部材なども必要なくなる。
【００１８】
また、１部屋につき１台の空調機を用いるので、それぞれ量産タイプの小さな空調機を用いることができる。そのため、省スペースであり、空いたスペースを有効に活用して設置することができる。
さらに、部屋の天井裏などに排気ダクトを布設する手間が省ける。そして、天井裏などに排気ダクトを設置しない分の空いたスペースを他の用途に利用することができ、さらに、スペースが空くので、天井裏の他の工事を容易にする。
【００１９】
このような空調システムは、前記複数の部屋が上下あるいは左右に併設されている２個の部屋である場合は（請求項２）、２個の部屋の端部同士を空調機で容易に連結することができ、布設に手間がかからない。
また、前記複数の部屋が建屋の２階以上に設けられている場合は（請求項３）、複数の小型の空調機を用いているので、空調設備が設置される階が高くなっても、それぞれの階の空いたスペースに空調機を設置することができる。また、１階からダクトを延ばす手間が省ける。
【発明を実施するための最良の形態】
【００２０】
つぎに図面を参照しながら本発明の空調システムの実施の形態を説明する。図１は本発明の空調システムの一実施形態を示す概略配管図、図２は本発明の空調システムの他の実施形態を示す概略配管図、図３は本発明の空調システムのさらに他の実施形態を示す概略配管図、図４は本発明の空調システムのさらに他の実施形態を示す概略配管図を示す。
【００２１】
図１には本発明の空調システムの概略配管図を示す。図1の空調システム１は、２個の細長い部屋２ａ、２ｂと、それらの部屋２ａ、２ｂの端部同士をいわば直列的に連結してループ状の空調経路を形成する２基の空調機３ａ、３ｂとからなる。
前記２個の部屋２ａ、２ｂは上下に併設されており、下方に配置されている部屋は１階の部屋２ａで、その部屋２ａの上方に２階の部屋２ｂが設けられている。また、前記２つの空調機３ａ、３ｂのうち、上下の部屋２ａ、２ｂの右端同士を連結している空調機は右端の空調機３ａ（２階用の空調機）で、左端同士を連結している空調機は左端の空調機３ａ（１階用の空調機）である。
【００２２】
前記１階の部屋２ａの一方（図１の左側）の側壁には、天井付近に空調エアが供給される供給口４が形成されており、他方（図１の右側）の側壁には、床面付近に供給エアが排気される排気口５が形成されている。２階の部屋２ｂの供給口４は、右側の側壁の天井付近に形成され、排気口５は左側の側壁の床面近辺に形成されている。それにより２階の部屋２ｂの供給口４は１階の部屋２ａの排気口５と上下に隣接し、２階の部屋２ｂの排気口５は１階の部屋２ａの供給口４と上下に隣接するように配置される。
【００２３】
前記２階用の空調機３ａは１階の部屋２ａの右端の側壁の外側に配置されており、その１階の部屋２ａと同じフロアの空いたスペースなどに設置される。一方、１階用の空調機３ｂは２階の部屋２ｂの左側壁の外側に配置されており、１階の部屋２ａと同じフロアの空いたスペースなどに設置される。なお。前記２階用の空調機３ａを２階に配置したり、１階用の空調機３ｂを１階に設置することもできる。両方を同じ階に設置することもできる。その場合も空いたスペースに設置するとよい。
【００２４】
なお、前記部屋２ａ、２ｂはまっすぐに延びたものが好ましいが湾曲した形状であってもよい。その場合、Ｕ字状、Ｓ字状あるいは不規則な湾曲形状を採用することもできるが、空調エアが自然に流れることができる程度の湾曲の度合いが好ましい。
【００２５】
前記２基の空調機３ａ、３ｂは、空気の温度あるいは湿度を調整し、その空調された空気を一定の風量で安定して供給するものである。また、空調機３と供給口４の間および空調機３と排気口５の間はダクト６により連結される。なお、前記部屋２ａ、２ｂの側壁に空調機３ａ、３ｂの吹き出し口あるいは吸い込み口を直接に連結して、ダクト６を省略することもできる。
【００２６】
次に、空調システム１の風路を空調エアの流れに沿って説明する。まず、前記２階用の空調機３ａから吹き出される空調エアは２階の部屋２ｂの供給口４から供給される。
【００２７】
次いで、細長い２階の部屋２ｂの右端から左端に向かって空調エアが流れ、２階の部屋２ｂの排気口５から空調エアが排気される。排気された還気エアは１階用の空調機３ｂによって、再び温度あるいは湿度が調整されて、今度は１階の部屋２ａの供給口４に供給される。このとき、１階用の空調機３ｂは２階の部屋２ｂから排気された還気エアの一部を外部に排出し、その分だけ新鮮な外気を取り入れてもよい。
【００２８】
前記１階の部屋２ａの左端から供給される空調エアは右端の排気口５に向かって流れる。その排気口５から排気された還気エアは２階用の空調機３ａに取り込まれ、温度あるいは湿度が調整されて再び２階の部屋２ｂに供給される。順次、このような一連の動作が繰り返される。
【００２９】
このように、空調システム１では、１階の部屋２ａおよび２階の部屋２ｂによって、ループ状の空調経路を形成することにより、還気ダクトを省略している。そのため、従来技術にあるようにエアを空調機まで還気するダクトを横引きして布設する手間が省け、そのような還気用のダクトを支えるためのサポート部材なども必要なくなる。また、還気用のダクトを横引きしないので、その分だけ天井の空間を空けることができる。その空いた空間は、他の天井裏の工事を容易にし、かつ、他の用途にも利用することができる。
【００３０】
また、２つの部屋２ａ、２ｂの断面積はダクトに比べて非常に大きいので、それら部屋２ａ、２ｂを流れる空調エアの風速は０．１〜０．２ｍ／ｓ程度となる。そのため、部屋２ａ、２ｂを流れる空調エアの圧力損失はほとんどない。さらに、２つの部屋２ａ、２ｂの内部の静圧はほとんど０に等しいので、空調機３ａ、３ｂが空調エアを吸い込み、あるいは、送風するのに、負荷がほとんどかからない。
【００３１】
なお、図１に示す空調システム１は上下方向に部屋を併設した場合を示しているが、左右に併設してもよい。また、前記空調システム１を上下方向に積み重ねていくと、ビルなどの複数のフロアに用いることもできる。このように空調される部屋の総数が偶数個の場合には、複数の空調システム１を単純に上下に並べることにより、容易にスケールアップすることができる。
また、複数個の部屋を千鳥上に空気が流れるように連結し、１個の空調システムとすることもできる。その場合、部屋数が偶数個であれば還気ダクトを横引きする必要がない。奇数個の場合も、１本の細い還気ダクトを横引きするだけでよい。
【００３２】
このような空調システム１が使用される環境としては、空調は必要だが、厳密な温度調整の必要がない場所に用いるのがよい。例えば、細長いフロアの廊下、地下街の通路あるいは貯酒タンク室の操作通路あるいはタンク下部屋などがある。
【００３３】
図２には、空調システム１の他の実施形態を示す。図２に示す空調システム１０では、２階の部屋２ｂのさらに上に第３の部屋２ｃが併設され、その第３の部屋２ｃの右端の側壁の外側には、第３の空調機３ｃが設置されている。第３の部屋２ｃは前述した２つの部屋２ａ、２ｂと同様な形状であり、第３の空調機３ｃは２つの空調機３ａ、３ｂと同様であるので、同じ部分には同じ符号を付してその説明を省略する。
前記第３の部屋２ｃの左右の端部は、２階の部屋２ｂの左右の端部と逆の配置で併設される。すなわち、第３の部屋２ｃの供給口４は、２階の部屋２ｂの排気口５と上下に隣接し、第３の部屋２ｃの排気口５は２階の部屋２ｂの供給口４と上下に隣接するように配置される。
【００３４】
この空調システム１０の風路を説明する。２階の部屋２ｂの排気口５から空調エアが排気されるまでは、前述の空調システム1と同様であるが、排気された空調エアは左端の空調機３ｂにより隣接する上方の第３の部屋２ｃの供給口４に供給される。第３の部屋２ｃに供給された空調エアは排気口５より排気される。その排気された空調エアは第３の空調機３ｃにより温度あるいは湿度が調整された上て、今度は１階の部屋２ａの供給口４に還気用のダクト６ａを介して接続される。
【００３５】
前記空調システム１０のように空調される部屋数が奇数の場合には、図２に示すような還気用のダクト６ａが必要となる。そのため、ダクトの全長は従来技術のものとほぼ同じであるが、図５のような並列的に送風する場合に比して、風量が少ないので、細いダクトで済む。さらに、１つの空調機を用いて集中的に空調を行う場合に比べて、複数の空調機３ａ、３ｂ、３ｃのように分けて配置すると、１台あたりの設置スペースが小さいので、配置の自由度が増し、さらに設置のための基礎を簡易なものにすることができる。
【００３６】
また、図１の空調システム１と図２の空調システム１０とを組み合わせてスケールアップを行うことができる。例えば、空調される部屋数が３個の建屋と、５個の建屋を空調する場合、２つの建屋の部屋の総数が偶数になるので、４つの空調システム１を組み合わせて用いることができる。
【００３７】
図３には本発明の空調システム１の他の実施形態を説明する。図３に示す空調システム２０は、空調システム１とほぼ同様であるので、前記空調システム１と同じ部分には同じ符号を付してその説明を省略する。前記空調システム２０は、複数の細長い部屋２、２、２・・・と、それら部屋２、２の端部同士を直列状に連結してループ状の空調経路を形成する複数の空調機３、３、３・・・とからなる。
【００３８】
この空調システム２０では、ループ状の風路が形成されており、部屋２から排気された空調エアは空調機３に取り込まれる。取り込まれた空調エアはその空調機３により温度あるいは湿度が調整され、さらに前方の部屋２へと供給される。このような工程を次々と繰り返しながら、ループ状の空調経路が形成されている。このような空調システム２０は、連結される部屋２、２の端部同士が近接して配置されている場合には、部屋同士を連結するためのダクト６の長さを短くすることができるので有効である。
【００３９】
なお、このようなループ状の空調経路は図３のような略円形状の他に、空調機３の部分で風路を方向転換させると、ひし形あるいは星形のようなジグザクな風路を形成することもできる。また、部屋２に供給される前に、空調機３により所定の圧力でもって送風されるので、次々と連結して、長い風路にしても、確実な風量を得ることができる。このようなループ状の風路を形成する建屋として、競艇場の観覧席、地下鉄のホーム、地下街あるいはショッピングモールの通路などがある。
【００４０】
次に、本発明の空調システム１を奥行きの長い３階建ての貯酒倉庫に用いた実施形態を図４の概略配管図を用いて説明する。図４に示す建屋３０は、３階建ての建屋であり、１階の部屋３１と、２階の貯酒タンク室と、３階の貯酒タンク室と、各貯酒タンク室の前の操作通路２ａ、２ｂとからなる。
【００４１】
前記タンクの前面には細長い通２ａ、２ｂが形成されており、空調はそれほど厳密でなくてもよく、例えば約１０〜１５℃の温度に設定されている。前記２階の通路２ａの左端の側壁には給気口４が形成され、右端の側壁には排気口５が形成されている。一方、３階の通路２ｂの左端の側壁には排気口５が形成され、右端の側壁には給気口４が形成されている。
【００４２】
前記２階の通路２ａの右端の側壁の外側の空いたスペースには３階用の空調機３ａが配置されており、２階の通路２ａの排気口５と３階の通路２ｂの供給口４とを連結している。また、前記３階の通路２ｂの左端の側壁の外側の空いたスペースには２階用の空調機３ｂが配置されており、３階の通路２ｂの排気口５と２階の通路２ａの供給口４とを連結している。
【００４３】
このように２本の通路２ａ、２ｂを空調することにより、従来技術で説明した還気ダクト１０６を１階の部屋３１の天井裏に横引きするのを省略することができる。また、小型の空調機３ａ、３ｂを用いることにより、基礎を小さくすることができるので、空調機３ａ、３ｂを２階および３階の空いたスペースに設置することができる。
【図面の簡単な説明】
【００４４】
【図１】図１は本発明の空調システムの一実施形態を示す概略配管図である。
【図２】図２は本発明の空調システムの他の実施の形態を示す概略配管図である。
【図３】図３は本発明の空調システムのさらに他の実施形態を示す概略配管図である。
【図４】図４は本発明の空調システのさらに他の実施形態を示す概略配管図である。
【図５】図５ａおよび図５ｂは従来の空調システムの一例を示す概略配管図である。
【図６】従来の空調システムの一例を示す概略配管図である。
【符号の説明】
【００４５】
１  空調システム
２  部屋
２ａ  １階の部屋
２ｂ  ２階の部屋
３  空調機
３ａ  右端の空調機
３ｂ  左端のの空調機
４  供給口
５  排気口
６  ダクト
６ａ  還気用のダクト
１０  空調システム
１１  建屋
１２  建屋
２０  空調システム
３０  空調システム
３１  １階の部屋
【図１】
2007093030.tif 000003
【図２】
2007093030.tif 000004
【図３】
2007093030.tif 000005
【図４】
2007093030.tif 000006
【図５】
2007093030.tif 000007
【図６】
2007093030.tif 000008